(57)【要約】【課題】構造が簡単であるとともに、老人生活施設の居住部屋や病院の病室等に設置して便利に使用することができる家具を提供する。【解決手段】ベッド１１Ａとテーブル１１Ｂとを横方向に並設して一体化する。ベッド１１Ａのフレーム２８とテーブル１１Ｂの脚部とを共用化する。テーブル１１Ｂの天板４１の一部に、部屋の壁に設けられた開口部内の底面に載置可能な突出部４１ａを設ける。【選択図】図１
2011056125.tif 000002
【特許請求の範囲】
【請求項１】
ベッドとテーブルとを一体化した家具であって、
前記ベッドとテーブルとを横方向に並設するとともに、ベッドのフレームとテーブルの脚部とを共用化したことを特徴とする家具。
【請求項２】
前記テーブルの天板の一部に、部屋の壁に設けられた開口部の底面に載置可能な突出部を設けたことを特徴とする請求項１に記載の家具。
【請求項３】
前記突出部の下面に、開口部の底面に対して当接可能な弾性部材を設けたことを特徴とする請求項２に記載の家具。
【発明の詳細な説明】
【技術分野】
【０００１】
この発明は、例えば老人生活施設の居住部屋や病院の病室等における使用に適する家具に関するものであって、特にベッドとテーブルとを一体化した家具に関するものである。
【背景技術】
【０００２】
従来、ベッドとテーブルとを一体化した家具としては、例えば特許文献１に開示されるような構成が提案されている。この従来構成においては、支持枠の上段にベッド部が設けられるとともに、支持枠の下段に机部が設けられている。すなわち、共通の支持枠を用いて、ベッド部と机部とが上下に間隔をおいて配置されている。そして、児童や生徒用の家具として、子供部屋等に場所をとることなく設置できるようになっている。
【先行技術文献】
【特許文献】
【０００３】
【特許文献１】特開２００６−５５５３９号公報
【発明の概要】
【発明が解決しようとする課題】
【０００４】
ところが、この特許文献１の従来の家具においては、ベッド部が机部の上方の高い位置に配置され、ベッド部に乗り降りする場合には、支持枠の側部に設けられた梯子を用いる必要がある。このため、老人生活施設の居住部屋や病院の病室等に設置する家具としては不向きである。また、特許文献１の従来の家具においては、机部とベッド部とが別々に構成され、両者の組み付けにおいては、ベッド部が机部の上に載置されるようになっている。従って、ベッド部は床に直接固定されることがなく、机部のみが４本の脚において床に固定される。このため、この家具は、床に対して強固に固定されず、従って、上下に高いことも相まって地震等の際に不安定であり、特に長期間の使用にともなって、固定状態が緩くなった場合には不安定さが倍加される。
【０００５】
この発明は、このような従来の技術に存在する問題点に着目してなされたものである。その目的は、構造が簡単であるとともに、老人生活施設の居住部屋や病院の病室等に設置して便利に使用することができる家具を提供することにある。
【課題を解決するための手段】
【０００６】
上記の目的を達成するために、この発明は、ベッドとテーブルとを一体化した家具であって、前記ベッドとテーブルとを横方向に並設するとともに、ベッドのフレームとテーブルの脚部とを共用化したことを特徴としている。
【０００７】
従って、この発明の家具においては、ベッドがテーブルに対して横方向に並設されて、低い位置に配置されている。よって、ベッドに対して梯子等を用いることなく、床面から直接に乗り降りすることができて、老人生活施設の居住部屋や病院の病室等において、便利に使用することができる。また、ベッドとテーブルとのそれぞれが床面に固定されるため、それらの設置状態が強固になる。しかも、ベッドのフレームとテーブルの脚部とが共用化されているため、部品点数が少なくなり、構造が簡単で安価に製造することができる。
【０００８】
また、前記の構成において、前記テーブルの天板の一部に、部屋の壁に設けられた開口部の底面に載置可能な突出部を設けるとよい。
さらに、前記の構成において、前記突出部の下面に、開口部の底面に対して当接可能な弾性部材を設けるとよい。
【発明の効果】
【０００９】
以上のように、この発明によれば、構造が簡単であるとともに、老人生活施設の居住部屋や病院の病室等に設置して便利に使用することができるとともに、設置状態が強固になるという効果を発揮する。
【図面の簡単な説明】
【００１０】
【図１】この発明を具体化した一実施形態の家具を示す斜視図。
【図２】図１の家具の正面図。
【図３】同家具の平面図。
【図４】同家具を部屋に設置した状態を示す部分拡大断面図。
【図５】同家具を設置した状態の部屋を入口側から見て示す斜視図。
【図６】家具を設置した状態の部屋を奥側から見て示す斜視図。
【図７】図６の部屋の入口側の壁を廊下側から見て示す拡大正面図。
【発明を実施するための形態】
【００１１】
以下に、この発明を具体化した家具の一実施形態を、図面に従って説明する。
図１に示すように、この実施形態の家具１１は、ベッド１１Ａとテーブル１１Ｂとを横方向に並設して一体化した構造となっている。そして、図５及び図６に示すように、この家具１１は、例えば老人生活施設の居住部屋、あるいは病院の病室の部屋１２の床（ゆか）面１３上に、その部屋１２の側壁１４Ａに沿うとともに、その側壁１４Ａに近接した状態で設置される。
【００１２】
図４に示すように、前記部屋１２の入口側は廊下１５に面した壁１６により区画され、図６及び図７に示すように、その壁１６の出入口１６ａには開閉可能なドア１７が取り付けられている。ドア１７に隣接するように、壁１６には透明板よりなるのぞき窓１８が設けられている。のぞき窓１８の下方に位置するように、壁１６には食器等を出し入れするための横長の開口部１９が形成されている。開口部１９には、閉鎖板２０が開閉可能に取り付けられている。開口部１９の下部において、壁１６には換気窓５４が設けられている。
【００１３】
図５に示すように、前記部屋１２の奥側の壁２１には、外の明かりを採り入れるための採光窓２２が設けられている。部屋１２の奥側の壁２１と家具１１との間において、部屋１２の床面１３上には便器２３が設置されている。便器２３の近くにおいて、部屋１２の側壁１４Ｂには洗面台２４及び鏡２５が設けられている。
【００１４】
次に、前記家具１１のベッド１１Ａの構成について詳細に説明する。なお、この実施形態においては、説明の便宜上、家具１１が部屋１２の側壁１４Ａに近接して配置された状態において、家具１１の側壁１４Ａと近接する側を後側、その反対側を前側、ベッド１１Ａ側を左側、テーブル１１Ｂ側を右側として説明する。
【００１５】
図１に示すように、家具１１のベッド１１Ａは、平面四角枠状のフレーム２８を備え、そのフレーム２８上に床（とこ）板２９が支持されている。床板２９には、複数の通気孔２９ａが形成されている。フレーム２８は、就寝者の頭側であるヘッドボード２８ａ及び就寝者の足側であるフットボード２８ｂ間に、一対のサイドボード２８ｃ，２８ｄを固定して構成されている。図３に示すように、ヘッドボード２８ａ、フットボード２８ｂ及び両サイドボード２８ｃ，２８ｄの内側面には、床板２９の下面を支持するための桟３０が固定されている。
【００１６】
図１に示すように、前記部屋１２の側壁１４Ａに近接して配置される後側のサイドボード２８ｃは、ヘッドボード２８ａ及びフットボード２８ｂの後端部間において、床板２９の上面付近から部屋１２の床面１３までの領域に位置するように上下幅が広く形成されている。前側のサイドボード２８ｄは、ヘッドボード２８ａ及びフットボード２８ｂの前端部間において、床板２９の上面よりも高い位置から、床板２９の下面より下方で、かつ部屋１２の床面１３より上方の位置までの領域に位置する幅に形成されている。
【００１７】
前記ヘッドボード２８ａの上端前縁部には、切欠部３１が形成されている。前側のサイドボード２８ｄの上端右側縁部には、ヘッドボード２８ａの切欠部３１に連続する切欠部３２が形成されている。このため、就寝者がベッド１１Ａの床板２９上に横たわった状態において、廊下１５側の壁１６ののぞき窓１８から切欠部３１，３２を介して、その就寝者を確認できるようになっている。また、前側のサイドボード２８ｄの切欠部３２以外の左側の高い部分３９は、寝具の落下を防止するための役割を果たす。
【００１８】
図５に示すように、前記テーブル１１Ｂと反対側に位置するベッド１１Ａのフットボード２８ｂは、前側のサイドボード２８ｄよりも高くなるように形成されている。そして、前記便器２３の使用者の首あるいは胸部より下の身体がフットボード２８ｂにより隠されるようになっている。
【００１９】
前記ヘッドボード２８ａとフットボード２８ｂとの間の中間位置において、床板２９の下方に配置されるように、両サイドボード２８ｃ，２８ｄ間には中間ボード３３が固定されている。そして、図１に示すように、この中間ボード３３、ヘッドボード２８ａ、後側のサイドボード２８ｃ、床板２９及び部屋１２の床面１３により、前面を開口した右側の第１収納空間３４が区画される。また、中間ボード３３、フットボード２８ｂ、後側のサイドボード２８ｃ、床板２９及び部屋１２の床面１３により、前面を開口した左側の第２収納空間３８が区画される。この第１収納空間３４の前面開口部において、中間ボード３３とヘッドボード２８ａとの間には、蓋板３５がその上端を中心に開閉回動可能に取り付けられている。蓋板３５には、例えば開錠用暗証番号を記憶する形式の施錠機構３６が設けられている。そして、施錠機構３６を解錠するとともに、蓋板３５を開放した状態で、第１収納空間３４内に対して衣類の収納ケース３７等を出し入できるようになっている。また、第２収納空間３８も、小物等の収納スペースとして利用することができる。
【００２０】
なお、前記ヘッドボード２８ａ，フットボード２８ｂ，後側サイドボード２８ｃ及び中間ボード３３はベッド１１Ａの脚として機能し、それらは金具５１及び図示しない固定ネジを用いて床面１３に固定されている。
【００２１】
次に、前記家具１１のテーブル１１Ｂの構成について詳細に説明する。
図１に示すように、家具１１のテーブル１１Ｂにおいて、右側脚部としての右側脚板４０が前記ベッド１１Ａのヘッドボード２８ａの外側に間隔をおいて同ヘッドボード２８ａと平行に、かつ側壁１４Ａと接するように配置され、その右側脚板４０及びヘッドボード２８ａの上端部間に下側天板４１が架設されて固定されている。従って、この実施形態においては、ヘッドボード２８ａにより、テーブル１１Ｂの左側脚部が共用化されている。前記右側脚板４０は、ヘッドボード２８ａより幅狭く形成されている。
【００２２】
前記下側天板４１の後部上方には、上側天板４２が左右一対の側板４３ａ，４３ｂ及び後板４４を介して下側天板４１と間隔をおいた状態で平行に固定されている。上側天板４２の右側前縁には前方に向かって凸部４２ａが形成され、その前部左側には左側ほど後退する傾斜縁４２ｂが形成されている（図３参照）。
【００２３】
そして、下側天板４１は主として食事や読書等に使用され、上側天板４２は目覚まし時計やテレビ４５等の物を置くことに使用される。
図２に示すように、前記下側天板４１の右側部には、突出部４１ａが右側脚板４０の外面よりも右方に突出するように形成されている。そして、図４に示すように、家具１１が部屋１２の床面１３に設置された状態において、下側天板４１の突出部４１ａの先端が前記壁１６の開口部１９内に挿入されて、その開口部１９内の底面上に載置されている。
【００２４】
前記下側天板４１の突出部４１ａの下面先端縁には、ゴム等の弾性材よりなる弾性部材４６が突出部４１ａの前後方向の全長にわたって延びるように固定されている。そして、下側天板４１の突出部４１ａが前記開口部１９内に位置する状態において、この弾性部材４６が開口部１９の底面に当接されて、突出部４１ａの先端が開口部１９の底面に隙間を生じることなく載置される。
【００２５】
前記下側天板４１の突出部４１ａの下面には、桟４７が弾性部材４６から間隔をおいて平行に延びるように突設されている。桟４７の右側前縁には、ゴム等の弾性材よりなる弾性部材４８が接合されている。そして、下側天板４１の突出部４１ａが壁１６の開口部１９内に位置するとき、この桟４７が弾性部材４８を介して開口部１９の直下の壁１６に当接して、開口部１９に対する突出部４１ａの挿入位置が規制される。
【００２６】
さて、この実施形態の家具１１を老人生活施設の居住部屋や病院の病室等の部屋１２内において、部屋１２の側壁１４Ａに沿って設置した場合には、図５に示すように、家具１１のベッド１１Ａが部屋１２の奥側に配置されるとともに、テーブル１１Ｂが部屋１２の入口側に配置される。この状態においては、図４に示すように、テーブル１１Ｂの下側天板４１の突出部４１ａが部屋１２の廊下１５側の壁１６に設けられた開口部１９に挿入されて、その開口部１９内の底面に弾性部材４６を介して隙間を生じることなく載置される。
【００２７】
そして、この状態で、床板２９上に寝具を敷いて、ベッド１１Ａを就寝に供することができる。この場合、ヘッドボード２８ａ及びサイドボード２８ｄには切欠部３１，３２が形成されているため、部屋１２のドア１７を開けなくても、廊下１５側からのぞき窓１８及び切欠部３１，３２を介して就寝者を確認できる。
【００２８】
また、部屋１２内の居住者は、図４に２点鎖線で示すように、開口部１９からテーブル１１Ｂの下側天板４１上に差し出された食事をその下側天板４１上において供することができる。そして、食事が終了した食器等をその下側天板４１上に置いておけば、その食器等が開口部１９から廊下１５側に退かれて、片付けられる。また、居住者は、下側天板４１上において読書等を行うことができる。そして、これらの場合、上側天板４２のテレビ載置用の凸部４２ａの前部には傾斜縁４２ｂが形成されているため、その凸部４２ａが食事や読書の邪魔になること回避できる。
【００２９】
ベッド１１Ａのフットボード２８ｂが便器２３上の使用者の頭部または胸部から下の身体を隠蔽するため、使用者の羞恥心を軽減できる反面、全身が隠れるわけではないため、室外からの確認には支障がない。
【００３０】
この実施形態の家具１１及び部屋１２の構成は以上のようにして取り扱うことができ、以下に述べる効果を得ることができる。
（１）  この実施形態においては、ベッド１１Ａのフレーム２８とテーブル１１Ｂの脚部とが共用化されているため、部品点数が少なくなり、構造が簡単で安価に製造することができる。
【００３１】
（２）  この実施形態においては、ベッド１１Ａ及びテーブル１１Ｂが横方向に並設されているため、そのベッド１１Ａ及びテーブル１１Ｂのそれぞれをフットボード２８ｂ，ヘッドボード２８ａ及び右側脚板４０により床面１３に固定できる。このため、特許文献１の構成とは異なり、ベッド１１Ａ及びテーブル１１Ｂを床面１３に対して強固に固定できる。そして、フットボード２８ｂ，ヘッドボード２８ａ及び右側脚板４０を側壁１４Ａにも固定でき、このようにすれば、ベッド１１Ａ及びテーブル１１Ｂの固定状態がさらに強固になる。
【００３２】
（３）  この実施形態においては、ベッド１１Ａがテーブル１１Ｂに対して横方向に並設されて、低い位置に配置されている。よって、ベッド１１Ａを使用する場合には、梯子を用いる必要がなく、ベッド１１Ａの床板２９の寝具に対して部屋１２の床面１３から直接に乗り降りすることができる。従って、ベッド１１Ａの使用者が老人であっても、無理なく快適に使用できる。
【００３３】
（４）  この実施形態においては、ベッド１１Ａの使用時には、ヘッドボード２８ａ及び前側のサイドボード２８ｄの切欠部３１，３２を介して、室外から就寝者の状態を容易に確認することができる。
【００３４】
（５）  この実施形態においては、テーブル１１Ｂの下側天板４１の突出部４１ａが壁１６の開口部１９に安定状態に支持される。よって、テーブル１１Ｂが開口部１９の内側面によって拘束されて動きが抑制され、そのテーブル１１Ｂを安定して設置できる。しかも、突出部４１ａが開口部１９内に位置しているため、部屋１２の外側から開口部１９の閉鎖板２０を開放させることにより、図４に鎖線で示すように、例えば食器４９をトレイ５０に乗せた状態で、開口部１９を介して下側天板４１上に容易に対して出し入れすることができる。
【００３５】
（６）  この実施形態においては、下側天板４１の突出部４１ａの下面の弾性部材４６が開口部１９の内面に弾性的に当接するとともに、桟４７の弾性部材４８が壁１６の室内側面に弾性的に当接する。従って、伝票等の用紙が開口部１９の内側面と突出部４１ａの下面との間を通って、壁１６と右側脚板４０との間の狭い隙間に落ち込むことを防止できる。また、振動が弾性部材４６，４８によって吸収されるため、振動が家具１１から部屋１２の壁へ、あるいは部屋１２の壁から家具１１へ伝達されることを抑制でき、部屋１２を含む施設の居住性を向上できる。
【００３６】
（７）  この実施形態においては、上側天板４２の凸部４２ａの前側には、傾斜縁４２ｂが形成されている。このため、図３に鎖線で示すように、この凸部４２ａ上において、部屋１２の中央に向けてテレビ４５をベッド１１Ａ側に向けて斜めに配置した場合、凸部４２ａのテレビから前方側への突出量を小さくすることができる。従って、下側天板４１上における食事や読書等を凸部４２ａに邪魔されることなく行うことが可能となる。
【００３７】
（８）  この実施形態においては、右側脚板４０は幅狭く形成されるとともに、その前縁が奥まったところに位置している。このため、図６に示すように、右側脚板４０が歩行や机使用の障害になることを防止できるとともに、壁１６の下部に右側脚板４０に邪魔されることなく納まりよく換気窓５４を設けることができて、室内の換気に寄与できる。
【００３８】
（変更例）
なお、この実施形態は、次のように変更して具体化することも可能である。
・  テーブル１１Ｂの脚部をベッド１１Ａのフレーム２８のフットボード２８ｂと共用化すること。つまり、テーブル１１Ｂをベッド１１Ａの前記実施形態の反対側に設けること。この場合、家具１１は部屋１２内において前記実施形態に対して左右逆に配置される。このため、ヘッドボード２８ａの切欠部３１に代えて、フットボード２８ｂに切欠凹部を形成する。また、ヘッドボード２８ａをフットボード２８ｂよりも高くなるように形成する。
【００３９】
・  テーブル１１Ｂの脚部をベッド１１Ａのフレーム２８のサイドボード２８ｃまたは２８ｄと共用化すること。つまり、テーブル１１Ｂをベッド１１Ａのサイドボード２８ｃまたは２８ｄ側に設けること。
【００４０】
・  テーブル１１Ｂの上側天板４２を省略したり、あるいは上側天板４２を３枚以上設けたりすること。
・  後部側のサイドボード２８ｃを前部側のサイドボード２８ｄのように床板２９の位置より高く形成すること。このようにすれば、床板２９の両側位置からの寝具の落下を防止できるため、ベッド１１Ａを壁に近接することなく、部屋１２の中央部に設置できる。
【００４１】
・  弾性部材４６，４８の少なくとも一方を部屋１２の壁側に設けること。
・  図６に示すように、ヘッドボード２８ａの上部にナースコール等のための緊急コールボタン５３を設けること。
【００４２】
（別の技術的思想）
さらに、上記実施形態により把握される請求項記載の技術的思想以外の他の技術的思想について、以下にそれらの効果とともに記載する。
【００４３】
（Ａ）  前記テーブルの天板を、上下方向に間隔をおいて複数枚設けたことを特徴とする請求項１〜３のうちのいずれか一項に記載の家具。
この構成によれば、複数枚の天板を、食事用、テレビ置き用等の異なった用途に用いることができるとともに、テーブルの強度を向上させることが可能となる。
【００４４】
（Ｂ）  前記テーブルの脚部を、ベッドのフレームのヘッドボードまたはフットボードと共用化したことを特徴とする請求項１〜３、前記技術的思想（Ａ）のうちのいずれか一項に記載の家具。
【００４５】
この構成によれば、テーブルがベッドの長さ方向に並設されて、ベッドの幅方向の一側部を部屋の壁面に沿って近接状態で設置することができ、家具を部屋内においてまとまりよく整然と設置できる。
【００４６】
（Ｃ）  前記ベッドのフレームのヘッドボードまたはサイドボードに、就寝者を確認するための切欠部を形成したことを特徴とする前記技術的思想（Ｂ）に記載の家具。
この構成によれば、部屋の廊下側の壁に設けられたのぞき窓から、ベッド上の就寝者を容易に確認することができる。
【００４７】
（Ｄ）  前記ベッドのフレームのサイドボードに、前記ヘッドボードまたはフットボードの切欠部に連続する切欠部を形成したことを特徴とする前記技術的思想（Ｃ）に記載の家具。
【００４８】
この構成によれば、ベッド上の就寝者の確認を一層容易に行うことができる。
（Ｅ）  前記テーブルと反対側に位置するベッドのヘッドボードまたはフットボードを、サイドボードよりも高くなるように形成したことを特徴とする家具。
【００４９】
この構成によれば、ベッドのヘッドボードまたはフットボードに隣接して、部屋の床面に便器が設置されている場合、ヘッドボードまたはフットボードの高い部分により、便器の使用者の少なくとも下半身を隠すことができる。
【００５０】
（Ｆ）  壁に開口部を設けた部屋において、
その部屋の床面上に、請求項２、３、前記技術的思想（Ａ）〜（Ｅ）のうちのいずれか一項に記載の家具を設置し、前記テーブルの天板の突出部を前記開口部内の底面に載置したことを特徴とする部屋。
【００５１】
この構成によれば、老人生活施設の居住部屋や病院の病室等に実施して、便利に使用することができる。
（Ｇ）  床面に便器を設けた部屋において、
前記壁と便器との間の床面上に、前記技術的思想（Ｇ）項に記載の家具を設置したことを特徴とする部屋。
【００５２】
（Ｈ）  突出部と壁との間に、弾性部材を介在させたことを特徴とする前記技術的思想（Ｆ）または（Ｇ）項に記載の部屋。ここで、弾性部材とは、ゴム，合成樹脂，金属板バネ等の緩衝性を備えたものを指す。
【００５３】
この構成によれば、振動の伝達を抑えることができて、施設の居住性を向上できる。
【符号の説明】
【００５４】
１１…家具、１１Ａ…ベッド、１１Ｂ…テーブル、１２…部屋、１６…廊下側の壁、１９…開口部、２８…ベッドのフレーム、２８ａ…ヘッドボード、２８ｂ…フットボード、２８ｃ，２８ｄ…サイドボード、４１…下側天板、４１ａ…突出部、４６…弾性部材。
【図１】
2011056125.tif 000003
【図２】
2011056125.tif 000004
【図３】
2011056125.tif 000005
【図４】
2011056125.tif 000006
【図５】
2011056125.tif 000007
【図６】
2011056125.tif 000008
【図７】
2011056125.tif 000009